(57)【要約】  本発明は、椎体へ骨材を注入することを長距離で制御する注入装置技術案を提供した。当該技術案は、ピストンとその一端に回転ハンドル或いはプッシュハンドルが固定される回転プッシュロッド或いは滑動プッシュロッドを有す注入器と、ベースとを備え、ベースの一端には注入器ブラケットが固定され、前記注入器が注入器ブラケット上の注入器固定ボタンによってボルトより注入器ブラケット内に締め付けられ、前記回転ハンドル或いはプッシュハンドルがハンドルジョイントに接続され、ハンドルジョイントが快速に取り外すことで動力ジョイントに接続され、動力ジョイントがステッピングモーター或いは直線ステッピングモーターの出力軸に接続され、ステッピングモーター或いは直線ステッピングモーターの出力軸の軸線が回転プッシュロッド或いは滑動プッシュロッドの軸線と同軸である。
2013503726.tif 000002
【特許請求の範囲】
【請求項１】
ピストンとその一端に回転ハンドルが固定される回転プッシュロッドを有す注入器と、ベースとを備え、
ベースの一端には注入器ブラケットが固定され、前記注入器が注入器ブラケット内に固定され、前記回転ハンドルがハンドルジョイントに接続され、ハンドルジョイントがさらに動力ジョイントに接続され、動力ジョイントがステッピングモーターの出力軸に接続され、ステッピングモーターの出力軸の軸線が回転プッシュロッドの軸線と同軸である、ことを特徴とする椎体へ骨材を注入することを長距離で制御する注入装置。
【請求項２】
前記ステッピングモーターは、モーターの取り付け板に取り付けられ、ーターの取り付け板がベースに取り付けられて、ベースに沿って平行移動或いはロックすることができることを特徴とする請求項１に記載の注入装置。
【請求項３】
前記回転ハンドルは、ハンドルジョイント上のハンドル腔に挿入されてハンドルジョイントに接続されることを特徴とする請求項１に記載の注入装置。
【請求項４】
ピストンとその一端にプッシュハンドルが固定される滑動プッシュロッドを有す注入器と、ベースとを備え、
ベースの一端には注入器ブラケットが固定され、前記注入器が注入器ブラケット内に固定され、前記プッシュハンドルがハンドルジョイントに接続され、ハンドルジョイントがさらに動力ジョイントに接続され、動力ジョイントが直線ステッピングモーターのねじ回しを有す出力軸に接続され、直線ステッピングモーターのねじ回しを有す出力軸の軸線が滑動プッシュロッドの軸線と同軸であって、当該直線ステッピングモーターがベースに固定される、ことを特徴とする椎体へ骨材を注入することを長距離で制御する注入装置。
【請求項５】
前記プッシュハンドルは、ハンドルジョイント上のハンドル腔に挿入されてハンドルジョイントに接続されることを特徴とする請求項４に記載の注入装置。
【請求項６】
前記ハンドルジョイントは、快速に取り外すことで動力ジョイントに接続されることを特徴とする請求項１或いは４に記載の注入装置。
【請求項７】
前記注入器ブラケットに注入器固定ボタンがあって、ボルトより注入器を注入器ブラケット内に締め付けることを特徴する請求項１或いは４に記載の注入装置。
【発明の詳細な説明】
【発明の詳細な説明】
【０００１】
〔技術分野〕
本発明は、医療用設備に関して、特に、椎体へ骨材を注入することを長距離で制御する注入装置に関する。
【０００２】
〔背景技術〕
現在、椎体に圧縮性骨折が現れる患者に対して、椎体を成形させ、リセットせる必要があるが、椎体成形手術では、骨折の箇所に骨用セメントなどの骨材を入力する必要がある。従来技術では、骨材料を注入することが、注入器が放射線透視の監視のもとで、骨材を病巣の箇所に直接注入することに依頼して、骨材が流体状で注入するため、この注入過程に操作者が極めて注意深い且つ細かい必要があって、いったん操作が適当でないと、骨材が必要以上の部位に流れて、挽回できない医療事故を起こすが、医療事故の発生を減少するために、骨材料の注入の全過程に放射線監視を行う必要があって、従って、このような椎体成形手術における具体的な操作者が放射線透視装置に近くならなければならないから、放射線の手術操作者に傷害を与えて、特に、このような手術をよく従事する医者に対する傷害がとりわけ深刻で、これが従来技術に存在する不足である。
【０００３】
〔発明の概要〕
〔発明が解決しようとする課題〕
本発明は、従来技術に存在する不足について、2つの椎体へ骨材を注入することを長距離で制御する注入装置技術案を提供することを目的として、当該技術案に係る具体的な注入操作が制御装置によって完成されて、操作者が放射線透視装置を遠く離れることができて、注入の情況を監視することができる一方で、注入装置の注入過程を長距離で制御することができて、このように操作のミスが現れないとともに、手術操作者の体が放射線からの傷害を受けないことを確保する。
【０００４】
〔課題を解決するための手段〕
発明は、以下のような技術措置より実現される。
【０００５】
本発明の一つの方面に係る椎体へ骨材を注入することを長距離で制御する注入装置は、ピストンとその一端に回転ハンドルが固定される回転プッシュロッドを有す注入器と、ベースとを備え、ベースの一端には注入器ブラケットが固定され、前記注入器が注入器ブラケット内に固定され、前記回転ハンドルがハンドルジョイントに接続され、ハンドルジョイントがさらに動力ジョイントに接続され、動力ジョイントがステッピングモーターの出力軸に接続され、ステッピングモーターの出力軸の軸線が回転プッシュロッドの軸線と同軸であって、前記ステッピングモーターがモーターの取り付け板に固定され、モーターの取り付け板がベースに取り付けられて、ベースに沿って平行移動或いはロックすることができ、前記回転ハンドルがハンドルジョイント上のハンドル腔に挿入されてハンドルジョイントに接続され、前記ハンドルジョイントが快速に取り外すことで動力ジョイントに接続され、前記注入器ブラケットに注入器固定ボタンがあって、ボルトより注入器を注入器ブラケット内に締め付ける、ことを特徴とする。
【０００６】
本発明の他の方面に係る椎体へ骨材を注入することを長距離で制御する注入装置は、ピストンとその一端にはプッシュハンドルが固定される滑動プッシュロッドを有す注入器と、ベースとを備え、ベースの一端には注入器ブラケットが固定され、前記注入器が注入器ブラケット内に固定され、前記プッシュハンドルがハンドルジョイントに接続され、ハンドルジョイントがさらに動力ジョイントに接続され、動力ジョイントが直線ステッピングモーターのねじ回しを有す出力軸に接続され、直線ステッピングモーターのねじ回しを有す出力軸の軸線が滑動プッシュロッドの軸線と同軸であって、当該直線ステッピングモーターがベースに固定され、また、前記プッシュハンドルがハンドルジョイント上のハンドル腔に挿入されてハンドルジョイントに接続され、前記ハンドルジョイントが快速に取り外すことで動力ジョイントに接続され、前記注入器ブラケットに注入器固定ボタンがあって、ボルトより注入器を注入器ブラケット内に締め付ける、ことを特徴とする。
【０００７】
本発明の有益効果は、上記技術案を説明することにより分かることができ、当該技術案において、注入器が注入ブラケット内に固定されるため、注入器の回転プッシュロッド或いは滑動プッシュロッドがハンドルジョイントと動力ジョイントよりステッピングモーター或いは直線ステッピングモーターの出力軸と同軸で接続するためである。この構成によれば、注入器の注入動作は、ステッピングモーター或いは直線ステッピングモーターによって制御されることができ、ステッピングモーター或いは直線ステッピングモーターに対する長距離制御を容易に実現することができ、このように注入を実施する操作者が注入現場を遠く離れて、放射線透視装置の監視スクリーンで注入操作を行うことができ、監視しながら操作して、操作の正確性を確保して、操作のミスを避けて、手術の品質を大きく向上することができる。さらに、ステッピングモーター或いは直線ステッピングモーターの制御に対して早送り、早戻り、注入、停止とリセットなどの操作を実現することができ、また、注入量をリアルタイムで表示することが可能で、予め設置を行うことができる。これにより、本発明は、従来技術に比べ、実質的な特徴と改善を持って、その実施の有益な効果を明らかにする。
【０００８】
〔図面の簡単な説明〕
図1は、本発明の一つの方面に係る具体的な実施例形態の構成の一部を示す断面図である。
図2は、図1の構成を示す上面図である。
図3は、本発明の他の方面に係る具体的な実施形態の構成の一部を示す断面図である。
【０００９】
図では、1は、ベースであり、2は、注入器であり、3は、ピストンであり、4は、回転プッシュロッドであり、5は、注入器ブラケットであり、6は、注入器固定ボタンであり、7は、ハンドル腔であり、8は、回転ハンドルであり、9は、ハンドルジョイントであり、10は、動力ジョイントであり、11は、ステッピングモーターであり、12は、モーターの取り付け板であり、13は、滑動プッシュロッドであり、14は、プッシュハンドルであり、15は、直線ステッピングモーターである。
【００１０】
〔発明を実施するための形態〕
本発明の技術特徴を明らかに説明するために、以下では、2つの技術案をぞれぞれ1つの具体的な実施形態よりその図面を参照して、本発明を説明する。
【００１１】
図1と図2に示すように、本発明の一つの方面に係る椎体へ骨材を注入することを長距離で制御する注入装置は、ベース1を備え、ベース1の一端には注入器ブラケット5が固定され、ピストン3と回転プッシュロッド4を有す注入器2が注入器ブラケット5上の注入器固定ボタン6によってボルトより注入器ブラケット5内に締め付けられる。回転プッシュロッド4の一端の回転ハンドル8は、ハンドルジョイント9上のハンドル腔7に挿入されて接続される。ハンドルジョイント9は、快速に取り外すことで動力ジョイント10に接続され、このような快速に取り外す構成が従来技術について多種であって、いずれかの一つの構成を任意に選択して用いることができる。動力ジョイント10は、ステッピングモーター11の出力軸に接続され、ステッピングモーター11の出力軸の軸線が回転プッシュロッド4の軸線と同軸である。前記ステッピングモーター11は、モーターの取り付け板12に固定され、モーターの取り付け板12がベースに取り付けられて、ベースに沿って平行移動或いはロックすることができる。
【００１２】
図3に示すように、本発明の他の方面に係る椎体へ骨材を注入することを長距離で制御する注入装置は、ベース1を備え、ベース1の一端には注入器ブラケット5が固定され、ピストン3と滑動プッシュロッド13を有す注入器2が注入器ブラケット5上の注入器固定ボタン6によってボルトより注入器ブラケット5内に固定され、滑動プッシュロッド13の一端のプッシュハンドルは、ハンドルジョイント9上のハンドル腔7に挿入されてハンドルジョイント9に接続される。ハンドルジョイント9は、快速に取り外すことで動力ジョイント10に接続され、このような快速に取り外す構成が従来技術について多種であって、いずれかの一つの構成を任意に選択して用いることができる。動力ジョイント10は、直線ステッピングモーター15のねじまわしを有す出力軸に接続され、直線ステッピングモーター15のねじまわしを有す出力軸の軸線が滑動プッシュロッド13の軸線と同軸であって、当該直線ステッピングモーター15がベース1に固定される。
【図面の簡単な説明】
【００１３】
【図１】本発明の一つの方面に係る具体的な実施例形態の構成の一部を示す断面図である。
【図２】図1の構成を示す上面図である。
【図３】本発明の他の方面に係る具体的な実施形態の構成の一部を示す断面図である。
【図１】
2013503726.tif 000003
【図２】
2013503726.tif 000004
【図３】
2013503726.tif 000005
【国際調査報告】
2013503726.tif 000006
2013503726.tif 000007
2013503726.tif 000008
2013503726.tif 000009
2013503726.tif 000010
2013503726.tif 000011
2013503726.tif 000012